(57)【要約】【課題】携帯電話機用卓上ホルダの主要部品を変更することなく、外形デザインの異なる複数パターンの携帯電話機に対して使用できる携帯電話機用卓上ホルダを提供することを目的とする。【解決手段】本発明に係る携帯電話機用卓上ホルダは、ポケット部１ａの背面にアタッチメント４、ポケット部１ａの両側面に可動式ロックつめ３を取り付けて構成される。可動式ロックつめ３はポケット部１ａ内に突出する方向に付勢されており、当該付勢方向に前後移動可能に構成されている。携帯電話機２の本体厚みが異なる機種を装着する場合は、携帯電話機の本体厚みに合わせてアタッチメント４の厚みを変更し、携帯電話機２の本体幅が異なる機種を装着する場合は、可動式ロックつめ３により携帯電話機の幅方向で位置決めされて装着される。すなわち、アタッチメント４を取り替えることで、外形デザインの異なる機種に対して使用することができる。【選択図】図１
2007116317.tif 000002
【特許請求の範囲】
【請求項１】
携帯電話機用卓上ホルダであって、
携帯電話機が挿入されるポケット部を有するホルダ本体と、
前記ポケット部の底面に配置され、前記携帯電話機が有する給電端子と電気的に接続する充電端子と、
前記ポケット部の両側面に配置された可動式ロックつめと
を備え、
前記可動式ロックつめは、前記ポケット部内に突出する方向に付勢されており、前記付勢方向に前後移動可能であり、前記携帯電話機両側面に設けられた凹部と嵌合して、前記給電端子と前記充電端子とが接触する位置で、前記携帯電話機を保持する携帯電話機用卓上ホルダ。
【請求項２】
前記可動式ロックつめは、
前記携帯電話機の両側面に設けられ、前記凹部を内部に有するスリットと嵌合して、前記給電端子と前記充電端子とが接触するように前記携帯電話機を案内する請求項１記載の携帯電話機用卓上ホルダ。
【請求項３】
前記可動式ロックつめは、
ロックつめ本体部と、
前記ロックつめ本体部の一の面に設けられた第１つめ部と、
前記ロックつめ本体部の他の一の面に設けられ、前記第１つめ部と高さ位置の異なる第２つめ部と
を備えており、
前記第１つめ部または前記第２つめ部が前記ポケット部内に突出するように、前記可動式ロックつめが配置される請求項１または２記載の携帯電話機用卓上ホルダ。
【請求項４】
前記可動式ロックつめは、
前記ポケット部の内部に向かって先細となる形状を有するつめ部を備える請求項１ないし３のいずれかに記載の携帯電話機用卓上ホルダ。
【請求項５】
携帯電話機用卓上ホルダであって、
携帯電話機が挿入されるポケット部を有するホルダ本体と、
前記ポケット部の底面に配置され、前記携帯電話機が有する給電端子と電気的に接続する充電端子と、
前記ポケット部の背面に配置され、前記携帯電話機の背面と前記ポケット部の背面の間でスペーサとして機能する、前記ホルダ本体と別部品の背面アタッチメントと
を備える携帯電話機用卓上ホルダ。
【請求項６】
前記背面アタッチメントは、
前記携帯電話機の側面を支持する側面ガイドをさらに備える請求項５記載の携帯電話機用卓上ホルダ。
【請求項７】
前記背面アタッチメントは、
前記ポケット部内でスペーサとして機能するスペーサ部と、
前記スペーサ部と連続して構成され、前記ポケット部をはみ出る部分で前記携帯電話機の背面を支持する背面ガイドと
をさらに備える請求項５または６記載の携帯電話機用卓上ホルダ。
【請求項８】
携帯電話機用卓上ホルダであって、
携帯電話機が挿入されるポケット部を有するホルダ本体と、
前記ポケット部の底面に配置され、前記携帯電話機が有する給電端子と電気的に接続する充電端子と、
前記ポケット部の両側面に配置された可動式ロックつめと、
前記ポケット部の背面に配置され、前記携帯電話機の背面と前記ポケット部の背面の間でスペーサとして機能する、前記ホルダ本体と別部品の背面アタッチメントと
を備え、
前記可動式ロックつめは、前記ポケット部内に突出する方向に付勢されており、前記付勢方向に前後移動可能であり、前記携帯電話機両側面に設けられた凹部と嵌合して、前記給電端子と前記充電端子とが接触する位置で、前記携帯電話機を保持する携帯電話機用卓上ホルダ。
【発明の詳細な説明】
【技術分野】
【０００１】
本発明は携帯電話機用卓上ホルダに関し、特に携帯電話機の外形状に依存せずに用いることができる携帯電話機用卓上ホルダに関する。
【背景技術】
【０００２】
携帯電話機用卓上ホルダは、携帯電話機背面を卓上ホルダポケット背面に沿わせながら入れると、携帯電話機の両側面に設けられたスリットが卓上ホルダポケット内両側面に形成したリブにはまり、携帯電話機が位置決めされて、携帯電話機が有する給電端子と携帯電話機用卓上ホルダが有する充電端子が接触し、充電を行う構造である。また、卓上ホルダポケット背面に設けたロックつめが携帯電話機背面に形成した凹部と嵌合することにより、携帯電話機の浮き上がりを防止して保持している。
【０００３】
なお、通常、携帯電話機用卓上ホルダは、携帯電話機の本体幅、本体厚み等により、適切なポケット形状、リブ位置、ロックつめ位置が設計されて製造される。すなわち、一機種の携帯電話機に対して、その機種に特化して設計された携帯電話機用卓上ホルダが用いられている。
【０００４】
例えば特許文献１記載の携帯電話機用卓上ホルダにおいて、図４に携帯電話機の装着時の構成断面図が示されている。携帯電話機１０が卓上ホルダケース１に挿入され、携帯電話機に設けられた給電端子１０ｂと充電端子２が接触して、携帯電話機１０が充電される。当該携帯電話機用卓上ホルダは、携帯電話機１０の外形状に対して、携帯電話機挿入部１ａの形状等が適切に設計されて製造される。
【０００５】
【特許文献１】特開２００２−１１１８２８号公報
【発明の開示】
【発明が解決しようとする課題】
【０００６】
しかしながら、上述したような携帯電話機用卓上ホルダには以下の問題があった。すなわち、一機種の携帯電話機に対して、携帯電話機用卓上ホルダが特化して設計されるので、当該携帯電話機と外形デザインが異なる携帯電話機の場合、卓上ホルダのポケット形状、リブ形状、ロックつめ位置等を外形デザインに合わせて再設計して製造する必要があり、携帯電話機用卓上ホルダの流用展開が困難となるという問題があった。例えば、特許文献１記載の携帯電話機用卓上ホルダにおいても、携帯電話機１０の本体厚みが変更されると、携帯電話機挿入部１ａの形状を再設計して、携帯電話機用卓上ホルダを製造しなければならなかった。
【０００７】
そこで、本発明は上記のような問題点を解消するためになされたもので、携帯電話機用卓上ホルダの主要部品を変更することなく、外形デザインの異なる複数機種の携帯電話機に対して使用できる携帯電話機用卓上ホルダを提供することを目的とする。
【課題を解決するための手段】
【０００８】
本発明に係る請求項１記載の携帯電話機用卓上ホルダは、携帯電話機が挿入されるポケット部を有するホルダ本体と、前記ポケット部の底面に配置され、前記携帯電話機が有する給電端子と電気的に接続する充電端子と、前記ポケット部の両側面に配置された可動式ロックつめとを備え、前記可動式ロックつめは、前記ポケット部内に突出する方向に付勢されており、前記付勢方向に前後移動可能であり、前記携帯電話機両側面に設けられた凹部と嵌合して、前記給電端子と前記充電端子とが接触する位置で、前記携帯電話機を保持する。
【０００９】
本発明に係る請求項５記載の携帯電話機用卓上ホルダは、携帯電話機が挿入されるポケット部を有するホルダ本体と、前記ポケット部の底面に配置され、前記携帯電話機が有する給電端子と電気的に接続する充電端子と、前記ポケット部の背面に配置され、前記携帯電話機の背面と前記ポケット部の背面の間でスペーサとして機能する、前記ホルダ本体と別部品の背面アタッチメントとを備える。
【００１０】
本発明に係る請求項８記載の携帯電話機用卓上ホルダは、携帯電話機が挿入されるポケット部を有するホルダ本体と、前記ポケット部の底面に配置され、前記携帯電話機が有する給電端子と電気的に接続する充電端子と、前記ポケット部の両側面に配置された可動式ロックつめと、前記ポケット部の背面に配置され、前記携帯電話機の背面と前記ポケット部の背面の間でスペーサとして機能する、前記ホルダ本体と別部品の背面アタッチメントとを備え、前記可動式ロックつめは、前記ポケット部内に突出する方向に付勢されており、前記付勢方向に前後移動可能であり、前記携帯電話機両側面に設けられた凹部と嵌合して、前記給電端子と前記充電端子とが接触する位置で、前記携帯電話機を保持する。
【発明の効果】
【００１１】
本発明に係る請求項１記載の携帯電話機用卓上ホルダは、携帯電話機が挿入されるポケット部を有するホルダ本体と、前記ポケット部の底面に配置され、前記携帯電話機が有する給電端子と電気的に接続する充電端子と、前記ポケット部の両側面に配置された可動式ロックつめとを備え、前記可動式ロックつめは、前記ポケット部内に突出する方向に付勢されており、前記付勢方向に前後移動可能であり、前記携帯電話機両側面に設けられた凹部と嵌合して、前記給電端子と前記充電端子とが接触する位置で、前記携帯電話機を保持するので、本体幅の異なる携帯電話機に対して、前記携帯電話機用卓上ホルダを使用できる。
【００１２】
本発明に係る請求項５記載の携帯電話機用卓上ホルダは、携帯電話機が挿入されるポケット部を有するホルダ本体と、前記ポケット部の底面に配置され、前記携帯電話機が有する給電端子と電気的に接続する充電端子と、前記ポケット部の背面に配置され、前記携帯電話機の背面と前記ポケット部の背面の間でスペーサとして機能する、前記ホルダ本体と別部品の背面アタッチメントとを備えるので、本体厚みの異なる携帯電話機に対して、前記背面アタッチメントの形状を変更することで、前記背面アタッチメント以外の構成部品を変更することなく前記携帯電話機用卓上ホルダを使用できる。
【００１３】
本発明に係る請求項８記載の携帯電話機用卓上ホルダは、携帯電話機が挿入されるポケット部を有するホルダ本体と、前記ポケット部の底面に配置され、前記携帯電話機が有する給電端子と電気的に接続する充電端子と、前記ポケット部の両側面に配置された可動式ロックつめと、前記ポケット部の背面に配置され、前記携帯電話機の背面と前記ポケット部の背面の間でスペーサとして機能する、前記ホルダ本体と別部品の背面アタッチメントとを備え、前記可動式ロックつめは、前記ポケット部内に突出する方向に付勢されており、前記付勢方向に前後移動可能であり、前記携帯電話機両側面に設けられた凹部と嵌合して、前記給電端子と前記充電端子とが接触する位置で、前記携帯電話機を保持するので、本体幅および本体厚みの異なる携帯電話機に対して、前記背面アタッチメントの形状を変更することで、前記背面アタッチメント以外の構成部品を変更することなく前記携帯電話機用卓上ホルダを使用することができる。
【発明を実施するための最良の形態】
【００１４】
（実施の形態１）
本発明に係る実施の形態１の携帯電話機用卓上ホルダの概略構成を図１に示す。図１（ａ）は携帯電話機および携帯電話機用卓上ホルダの斜視図、図１（ｂ）は携帯電話機の底面図、図１（ｃ）は携帯電話機装着時のＡ−Ａ断面図である。図１（ａ）に示すように、実施の形態１に係る携帯電話機用卓上ホルダは、携帯電話機２を挿入するポケット部１ａを有するホルダ本体１と、ポケット部１ａの背面に設けられ、ホルダ本体１と別部品のアタッチメント４と、ポケット部１ａの底面に配置され、携帯電話機２の底面に配置された給電端子２ｂ（図１（ｂ）参照）に充電電流を供給する可動式の充電端子１ｂと、ポケット部１ａの両側面に組み込まれた可動式ロックつめ３を備えている。
【００１５】
可動式ロックつめ３は、図示しないバネによって、ポケット部１ａ内に突出する方向に付勢され、当該付勢方向に前後移動することができる。一例として、図１（ｃ）に示すように、可動式ロックつめ３は、一端を支点として回動自在なロックつめ本体部３ａの他端に、ポケット部１ａの内部に向かって先細となるテーパ形状を有するつめ部３ｂを設けて構成されている。
【００１６】
また、アタッチメント４の表面には、携帯電話機２を安定して支持するために、所定のパターンで突起や溝が形成されている。
【００１７】
また、携帯電話機２の両側面には、可動式ロックつめ３と嵌合可能な凹部２ａが設けられており、後述するように、当該嵌合によって、充電端子１ｂおよびと供給端子２ｂが接触する位置で携帯電話機２を保持する。
【００１８】
次に、携帯電話機を装着するときの動作について述べる。携帯電話機２の背面をアタッチメント４に沿わせながらポケット部１ａに挿入すると、携帯電話機２の両側面に設けられた凹部２ａと可動式ロックつめ３が嵌合して、携帯電話機２の底面に配置された給電端子２ｂと充電端子１ｂが接触し、携帯電話機２に充電電流を供給する。
【００１９】
ここで、アタッチメント４は携帯電話機２背面とポケット部１ａ背面の間でスペーサとして機能し、携帯電話機２の本体厚み方向において、給電端子２ｂと充電端子１ｂを接触させるとともに、携帯電話機２の背面を支持する。なお、アタッチメント４はホルダ本体１と取り外し可能に固定されていても構わない。
【００２０】
また、可動式ロックつめ３は、携帯電話機２装着時に凹部２ａと嵌合して、給電端子２ｂと充電端子１ｂが接触するする位置で、可動式の充電端子１ｂによる携帯電話機２の浮き上がりを防止して保持している。なお、可動式ロックつめは携帯電話機２装着後の適正保持力をバネ（図示せず）力の調整で与えることができる。
【００２１】
次に、携帯電話機２の本体厚みが異なる機種を装着する場合と、本体幅が異なる機種を装着する場合とをそれぞれ以下に述べる。
【００２２】
携帯電話機２の本体厚みが異なる場合は、携帯電話機２の背面から給電端子２ｂまでの距離に合わせた、適切な厚み寸法を有するアタッチメント４をポケット部１ａの背面に取り付けることで、給電端子２ｂと充電端子１ｂが接触するように調整することができる。
【００２３】
すなわち、本実施の形態１に係る携帯電話機用卓上ホルダは、アタッチメント４の厚み寸法を適切に設計することで、アタッチメント４以外の構成部品を新規に開発することなく、本体厚みが異なる機種を装着して充電することができる。従って、ポケット部１ａの形状を変更することなく、その機能を損なうことはないので、その結果、機種ごとに発生する卓上ホルダ金型費を削減する事ができる。
【００２４】
携帯電話機２の本体幅が異なる場合は、可動式ロックつめ３の可動範囲内にある本体幅に対して、可動式ロックつめ３は、携帯電話機２の装着時に凹部２ａと嵌合して給電端子２ｂと充電端子１ｂが接触する位置で、携帯電話機２を保持することができる。
【００２５】
すなわち、本実施の形態１に係る携帯電話機用卓上ホルダは、構成部品を新規に開発することなく、本体幅が異なる機種を装着して充電することができる。従って、ポケット部１ａの形状を変更することなく、その機能を損なうことはないので、その結果、機種ごとに発生する卓上ホルダ金型費を削減する事ができる。
【００２６】
なお、携帯電話機２の本体厚み、本体幅がともに異なる機種を装着する場合も、本実施の形態１に係る携帯電話機用卓上ホルダを用いて、装着、充電可能であることは言うまでもない。
【００２７】
（変形例）
なお、 図２に示すように、携帯電話機２は両側面に、凹部２ａを内部に有するスリット２ｃが設けられていてもよい。ここで、図２（ａ）は携帯電話機および携帯電話機用卓上ホルダの斜視図、図２（ｂ）は携帯電話機装着時のＡ−Ａ断面図であり、携帯電話機用卓上ホルダは実施の形態１と同一である。
【００２８】
携帯電話機２を装着するときの動作について述べる。携帯電話機２の背面をアタッチメント４に沿わせながらポケット部１ａに挿入すると、携帯電話機２の両側面に設けられたスリット２ｃと可動式ロックつめ３が嵌合して、携帯電話機２の底面に配置された給電端子２ｂと充電端子１ｂが接触するようにガイドするとともに、スリット２ｃ内の凹部２ａと可動式ロックつめ３が嵌合して、可動式の充電端子１ｂによる携帯電話機２の浮き上がりを防止して保持する。
【００２９】
すなわち、可動式ロックつめ３はスリット２ｃとの嵌合によってガイドの機能を果たすため、より精度良く携帯電話機２を位置決めすることができる。
【００３０】
なお、本変形例においても、アタッチメント４を携帯電話機の本体厚みに合わせて適切に設計することで、アタッチメント４以外の構成部品を新規に開発することなく、異なる機種を装着して充電することができることは言うまでもない。  
【００３１】
（実施の形態２）
本発明に係る実施の形態２の携帯電話機用卓上ホルダの概略構成を図３に示す。なお、アタッチメント５以外は実施の形態１における携帯電話機用卓上ホルダと同一である。アタッチメント５は、携帯電話機（図示せず）の両側面を支持する側面ガイド５ｂと、ポケット部１ａ内にあってスペーサとして機能するスペーサ部５ｃと、スペーサ部５ｃと連続して構成され、ポケット部１ａをはみ出る部分で携帯電話機２の背面を支持する背面ガイド５ａとで構成されている。
【００３２】
また、アタッチメント５の表面には、実施の形態１同様、携帯電話機２を安定して支持するために、所定のパターンで突起や溝が形成されている。
【００３３】
側面ガイド５ｂを携帯電話機２の形状に合わせて作成することで、携帯電話機２を装着したときの携帯電話機２のガタつきを抑制し、容易に外れなくさせることができる。
【００３４】
また、背面ガイド５ａを備えることで、携帯電話機２の背面を支持する面積が広がり、携帯電話機２の装着後の安定性を高めることができる。
【００３５】
なお、本実施の形態２においても、アタッチメント５を携帯電話機の本体厚み、本体幅に合わせて適切に設計することで、アタッチメント５以外の構成部品を新規に開発することなく、異なる機種を装着して充電することができることは言うまでもない。
【００３６】
（実施の形態３）
本発明に係る実施の形態３の携帯電話機用卓上ホルダの概略構成を図４に示す。なお、可動式ロックつめ以外は実施の形態１における携帯電話機用卓上ホルダと同一である。図４（ａ）は可動式ロックつめの斜視図、図４（ｂ）および（ｃ）はそれぞれ、当該可動式ロックつめを取り付けた携帯電話機用卓上ホルダの概略断面図である。
【００３７】
図４（ａ）に示すように、可動式ロックつめ６は、一端を支点として回動自在なロックつめ本体部６ａと、ロックつめ本体部６ａの両面にそれぞれ異なる高さ位置で設けられたつめ部６ｂおよび６ｃとを備えている。可動式ロックつめ６は、図４（ｂ）および（ｃ）に示すように、つめ部６ｂ、６ｃのいずれか一方がポケット部１ａ内に突出するように、ポケット部１ａの両端に組み込むことができる。
【００３８】
本実施の形態３に係る携帯電話機用卓上ホルダは、携帯電話機に設けられた凹部の位置が異なる機種に対して使用することができる。以下、凹部２ａと異なる位置に設けられた凹部２１ａを有する携帯電話機２１および携帯電話機２を例に挙げて具体的に説明する。
【００３９】
ここで、つめ部６ｂは携帯電話機２の両側面に設けられた凹部２ａと嵌合可能な位置に設けられ、つめ部６ｃは携帯電話機２１の両側面に設けられた凹部２１ａと嵌合可能な位置に設けられている。つめ部６ｂがポケット部１ａ内に突出するように可動式ロックつめ６を組み込んだ場合（図４（ｂ）参照）は、携帯電話機２を装着して充電することができ、つめ部６ｃがポケット部１ａ内に突出するように可動式ロックつめ６を組み込んだ場合（図４（ｃ）参照）は、携帯電話機２１を装着して充電することができる。
【００４０】
したがって、新規に可動式ロックつめの金型を起工する必要がなくなり、可動式ロックつめの金型費を削減することができる。
【００４１】
なお、本実施の形態３においても、実施の形態１と同様の効果が生じることは言うまでもない。
【００４２】
（実施の形態４）
本発明に係る実施の形態４の携帯電話機用卓上ホルダをの概略構成図を図５に示す。なお、可動式ロックつめ以外は実施の形態１における携帯電話機用卓上ホルダと同一である。図５（ａ）は可動式ロックつめの斜視図、図５（ｂ）は当該可動式ロックつめを取り付けた携帯電話機用卓上ホルダの斜視図である。
【００４３】
図５（ａ）に示すように、可動式ロックつめ７は、一端を支点として回動自在なロックつめ本体部７ａと、他端に設けられたつめ部７ｂとを備えている。さらに、実施の形態４の特徴として、つめ部７ｂはポケット部１ａの内部に向かって先細となる三角錐形状を有している。当該可動式ロックつめ７をポケット部１ａの両側面に組み込むことで以下の効果を生じる。
【００４４】
すなわち、図５（ｂ）に示すように、つめ部７ｂの側面からかかる力を可動式ロックつめ７が外れる方向に変換することができ、その結果、装着された携帯電話機２を手前に回転させる方法で、携帯電話機２を取り外しする事ができる。従って、携帯電話機２の保持力を大幅に低下させずに、携帯電話機２を容易に取り外すことができる。
【００４５】
なお、本実施の形態４においても、実施の形態１と同様の効果が生じるのは言うまでもない。
【図面の簡単な説明】
【００４６】
【図１】実施の形態１に係る携帯電話機用卓上ホルダの概略構成を示す図である。
【図２】変形例に係る携帯電話機用卓上ホルダの概略構成を示す図である。
【図３】実施の形態２に係る携帯電話機用卓上ホルダの概略構成を示す図である。
【図４】実施の形態３に係る携帯電話機用卓上ホルダの概略構成を示す図である。
【図５】実施の形態４に係る携帯電話機用卓上ホルダの概略構成を示す図である。
【符号の説明】
【００４７】
１  ホルダ本体、１ａ  ポケット部、１ｂ  充電端子、２，２１  携帯電話機、２ａ，２１ａ  凹部、２ｂ  給電端子、２ｃ  スリット、３，６，７  可動式ロックつめ、３ａ，６ａ，７ａ  ロックつめ本体部、３ｂ，６ｂ，６ｃ，７ａ  つめ部、４，５  アタッチメント、５ａ  側面ガイド、５ｂ  背面ガイド、５ｃ  スペーサ部。
【図１】
2007116317.tif 000003
【図２】
2007116317.tif 000004
【図３】
2007116317.tif 000005
【図４】
2007116317.tif 000006
【図５】
2007116317.tif 000007